(57)【要約】【課題】  鎖樋素体を雨水の流水力により回転させる機能を備えることで、従来の鎖樋にはない新しい「見せる機能」を備える。雨水の流水力で鎖樋素体を回転させるものにおいて、鎖樋素体の回転時における水しぶきの飛散を防止して、付近の人や外壁等に水しぶきがかからない。【解決手段】  複数の鎖樋素体１を上下方向に配設した鎖樋２である。鎖樋素体１を軸体３に対して回転自在に取付ける。上下に開口した筒体４内に雨水の流水力を受けて該筒体４を回転させるための回転翼部５を設けて鎖樋素体１を構成する。筒体４内に設けた回転翼部５の上端を筒体４の上端よりも下方に引き込んだ位置に位置させる。【選択図】        図１
2009263992.tif 000002
【特許請求の範囲】
【請求項１】
複数の鎖樋素体を上下方向に配設した鎖樋において、鎖樋素体を軸体に対して回転自在に取付け、上下に開口した筒体内に雨水の流水力を受けて該筒体を回転させるための回転翼部を設けて鎖樋素体を構成し、筒体内に設けた回転翼部の上端を筒体の上端よりも下方に引き込んだ位置に位置させて成ることを特徴とする鎖樋。
【請求項２】
筒体の上開口の縁部の内縁及び外縁を面取りしてあることを特徴とする請求項１記載の鎖樋。
【請求項３】
筒体の上開口の縁部に内側に向けて内鍔部を突設し、筒体の上開口よりも筒体の下開口を小さく形成して成ることを特徴とする請求項１記載の鎖樋。 
【発明の詳細な説明】
【技術分野】
【０００１】
本発明は、複数の鎖樋素体を上下方向に配設し、軒樋から排水される雨水を鎖樋素体を伝って流下させるようにした鎖樋に関するものである。
【背景技術】
【０００２】
従来から、軒樋から排水される雨水を鎖樋素体を伝って流下させるようにした鎖樋が知られている。
【０００３】
従来の鎖樋としては、例えば輪状をした鎖樋素体を鎖状に繋いだものがある。この鎖状をした鎖樋は、輪状をした鎖樋素体を輪同士が上下にクロスするように通して上下に繋ぐことで構成してある。
【０００４】
また、鎖樋素体として筒体の上下に逆Ｕ字状をした上繋ぎ部とＵ字状をした下繋ぎ部とを突出し、上下の鎖樋素体をＵ字状をした下繋ぎ部と逆Ｕ字状をした上繋ぎ部とをクロスするように通して上下に繋ぐことで鎖樋を構成したものが特許文献１等により知られている。
【０００５】
一般の縦樋は、筒状をしていて雨水が流下するのが見えないようにしているが、上記した鎖樋は、軒樋から排水される雨水を鎖樋素体を伝って流下する様子を見せることで、筒状の縦樋にはない趣のあるものとすることができるという特徴を有している。
【０００６】
しかしながら、上記いずれの従来例の鎖樋も、雨水が単純に鎖樋素体を伝って流下する様子を見せるだけの機能しかなかった。このため、鎖樋としての「見せるという機能（鎖樋素体を伝って流下する様子を見せるという機能）」がマンネリ化しており、商品価値の高い鎖樋を提供できないのが現状であり、鎖樋のもつ「見せるという機能」を更に発展させる商品を開発することが強く望まれている。
【特許文献１】実開平５−７８２５号公報
【発明の開示】
【発明が解決しようとする課題】
【０００７】
本発明は上記の従来の問題点に鑑みて発明したものであって、鎖樋素体を雨水の流水力により回転させる機能を備えることで、従来の鎖樋にはない新しい「見せる機能」を備え、しかも、雨水の流水力で鎖樋素体を回転させるものにおいて、鎖樋素体の回転時における水しぶきの飛散を防止して、付近の人や外壁等に水しぶきがかからないようにできる鎖樋を提供することを課題とするものである。
【課題を解決するための手段】
【０００８】
本発明は、複数の鎖樋素体１を上下方向に配設した鎖樋２である。そして、本発明は、鎖樋素体１を軸体３に対して回転自在に取付け、上下に開口した筒体４内に雨水の流水力を受けて該筒体４を回転させるための回転翼部５を設けて鎖樋素体１を構成し、筒体４内に設けた回転翼部５の上端を筒体４の上端よりも下方に引き込んだ位置に位置させて成ることを特徴とするものである。
【０００９】
このような構成とすることで、上の鎖樋素体１の筒体４の下開口８から流下した雨水が、下の鎖樋素体１の筒体４の上開口６から筒体４内に流入して筒体４内に設けた回転翼部５で受けて鎖樋素体１を回転させることができ、このように雨水の流水力により鎖樋素体１が回転することで、従来の鎖樋２では発揮できなかった新しい見せる機能を備えた鎖樋２を提供できる。しかも、鎖樋素体１を回転させるに当って、鎖樋素体１に作用する雨水の流水力を利用して回転させるものであるから鎖樋２の構成が簡略化できる。更に、筒体４内に設けた回転翼部５の上端を筒体４の上端よりも下方に引き込んだ位置に位置させているので、上の鎖樋素体１の筒体４の下開口８から流下した雨水が、下の鎖樋素体１の筒体４の上開口６から筒体４内に流入して筒体４内に設けた回転翼部５で受けて鎖樋素体１を回転させる際に、回転翼部５で受けた流下水が鎖樋素体１の上開口６から外に飛散するのが抑制される。
【００１０】
また、筒体４の上開口６の縁部の内縁及び外縁を面取りしてあることが好ましい。
【００１１】
上から流下して雨水が鎖樋素体１の筒体４の内壁の上部又は回転翼部５の上部に当って、内壁に沿って上にさかのぼっても、筒体４の上開口６の縁部の内縁及び外縁を面取りしてあるので、上開口６の縁部の内縁及び外縁の面取り部分に沿って流れて筒体４の外面に沿って下方に流下することになり、外に飛散して飛び出すのが防止できる。
【００１２】
また、筒体４の上開口６の縁部に内側に向けて内鍔部７を突設し、筒体４の上開口６よりも筒体４の下開口８を小さく形成してあることが好ましい。
【００１３】
このような構成とすることで、上の筒体４の下開口８から流下した雨水が、下の鎖樋素体１の筒体４の上開口６から筒体４内に流入して筒体４の内壁の上部又は回転翼部５の上部に当って、内壁に沿って上にさかのぼっても、筒体４の上開口６の縁部に内側に向けて突設した内鍔部７により雨水が外に飛散するのを防止できる。
【発明の効果】
【００１４】
本発明は、上記のように鎖樋素体を軸体に対して回転自在に取付け、上下に開口した筒体内に雨水の流水力を受けて該筒体を回転させるための回転翼部を設けて鎖樋素体を構成しているので、雨水の流水力により鎖樋素体が回転する様子を見せるという機能を備えていることになり、簡単な構成で従来の鎖樋にはないまったく新しい「見せる機能」を備えた商品価値の高い鎖樋を提供できる。また、雨水の流水力を受けて筒体を回転させるための回転翼部の上端を筒体の上端よりも下方に引き込んだ位置に位置させてあるので、雨水の流水力を回転翼で受けて回転するようにしたにもかかわらず、鎖樋素体の回転時における水しぶきの飛散を防止して、付近の人や外壁等に水しぶきがかからないようにできる。
【発明を実施するための最良の形態】
【００１５】
以下、本発明を添付図面に示す実施形態に基いて説明する。
【００１６】
本発明の鎖樋２は複数の鎖樋素体１を上下方向に隙間９を介して配設したものであり、上端を軒樋に接続して軒樋から流下する雨水を鎖樋素体１を伝って次々と流下させるようにするためのものである。
【００１７】
本発明においては、鎖樋２を構成する全部の鎖樋素体１又は一部の鎖樋素体１が軸体３に対して回転自在となっている。
【００１８】
図１乃至図３には本発明の一実施形態が示してあり、本実施形態においては、上下に開口した筒体４内に雨水の流水力を受けて該筒体４を回転させるための回転翼部５を設けて鎖樋素体１を構成し、該鎖樋素体１に軸体３が回転自在に取付け、軸体３に繋ぎ部１０を設け、上下の鎖樋素体１を繋ぎ部１０で繋ぐことで、上下方向に複数の鎖樋素体１を配設した鎖樋２を構成した例が示してある。
【００１９】
実施形態では、上下が開口した横断面角形状又は円形状をした筒体４内に筒体４とは別体の回転翼部５を取付けて鎖樋素体１を構成した例が示してある。このように、別体の筒体４と回転翼部５とを組み立てて鎖樋素体１を構成することで、回転翼部５が複雑な形状であっても合成樹脂により簡単に成形することができる。
【００２０】
筒体４は下開口８が上開口６よりも小さいもので、筒体４の横断面形状が上から下に行くほど次第に小さくなるように形成してある。筒体４の壁部の内面には上開口６の開口縁よりも一定寸法下方に引き込んだ位置に係止突起１１が突設してある。
【００２１】
回転翼部５は中心軸部１２の周部に放射状に羽根部１３を突設して構成してあり、羽根部１３は中心軸部１２を中心に螺旋形状となるようにねじってある。また各羽根部１３の突出側端は筒体４の壁部の内面に沿うように壁部の内面の傾斜と同じ傾斜となっている。また、中心軸部１２には上下に貫通する孔１８が設けてある。
【００２２】
回転翼部５を筒体４の上開口６から嵌め込んで複数の羽根部１３の突出側端を筒体４の壁部の内面に当接すると共に各羽根部１３の上端を係止突起１１に係止することで回転翼部５を筒体４内に内装するものであり、この状態で、回転翼部５の上端の位置が筒体４の上端よりも一定寸法（図１において寸法Ｌで示す）下方に引き込んだ位置となり、中心軸部１２は筒体４の中心軸と同軸となる。
【００２３】
軸体３は上軸部１４と下軸部１５とに上下に分割してあり、上軸部１４の上端部及び下軸部１５の下端部にそれぞれ繋ぎ部１０が設けてある。また、上軸部１４の下端部には連結部１６が設けてあり、下軸部１５の上端部には被連結部１７が設けてある。
【００２４】
上軸部１４乃至下軸部１５の一方又は両方を鎖樋素体１の中心軸部１２の孔１８に遊挿すると共に、連結部１６と被連結部１７とを連結するものであり、これにより上軸部１４と下軸部１５とで構成する軸体３に対して鎖樋素体１を回転自在とするものである。下軸部１５には中心軸部１２の下端部が落下するための落下防止部１９が設けてある。
【００２５】
上記のように軸体３に回転自在となった複数の鎖樋素体１を、繋ぎ部１０で上下に繋ぐことで鎖樋２を形成するものである。
【００２６】
筒状をした鎖樋素体１の上開口６から鎖樋素体１内に雨水が流入すると、雨水は中心軸部１２周りに形成した螺旋状をした回転翼部５の傾斜面に当って回転翼部５上を螺旋流となって流下するものであるが、この際、上開口６から回転翼部５の傾斜面に図２の矢印イのように当ることで回転翼部５が軸体３を中心に回転する力が作用し、また、螺旋状となった回転翼部５に沿って雨水が螺旋流となって鎖樋素体１内を流れることで、鎖樋素体１を更に回転する力が作用し、これにより鎖樋素体１が軸体３を中心に図２の矢印ロのように回転する。
【００２７】
このように鎖樋素体１を回転させながら自身も螺旋流となった雨水は筒体４の下開口８から下方に螺旋流となって流下し、隙間９を介して下に位置する別の鎖樋素体１の上開口６内に流下する。
【００２８】
下に位置する別の鎖樋素体１の上開口６から流下した雨水は上記と同様に螺旋状をした回転翼部５の傾斜面に当って回転翼部５上を螺旋流となって流下するものであり、これにより上記と同様にして下の鎖樋素体１が軸体３を中心に回転する。
【００２９】
同様にして次々と、下の鎖樋素体１が軸体３を中心にして回転することで、全ての鎖樋素体１を回転することができる。
【００３０】
この実施形態においては、上記のように雨水が流れると、雨水の流水力により鎖樋素体１が回転する様子が見え、また、上下の鎖樋素体１間の隙間９においては雨水が螺旋流となって流れる様子が見える。これにより、従来の鎖樋素体１が回転せず、また、鎖樋素体１間の隙間９においては雨水が真っ直ぐ流れる様子しか見えないものに比べて、従来の鎖樋２では現出できなかった、雨水の動き、鎖樋素体１の動きを現出できることになる。
【００３１】
上記のように、雨水の流水力を利用して鎖樋素体１を回転させるのであるが、回転する上の鎖樋素体１の下開口８から螺旋状をした流れとなって雨水が流下して、下に位置する回転する鎖樋素体１の上開口６から下に位置する鎖樋素体１内に流入するのであるが、鎖樋素体１を回転するには傾斜した回転翼部５の傾斜面に対して上から流下する雨水が交差するように衝突させる必要があり、このため、上開口６から流下した雨水が回転翼部５の傾斜面に衝突し、その衝突の力で鎖樋素体１が回転する際、水が飛散するおそれがある。
【００３２】
しかしながら、本発明においては、筒体４内に設けた回転翼部５の上端を筒体４の上端よりも下方に引き込んだ位置に位置させてあるので、上の鎖樋素体１の筒体４の下開口８から流下した雨水を、下の鎖樋素体１の筒体４の上開口６から筒体４内に流入して筒体４内に設けた回転翼部５で受けて鎖樋素体１を回転させる際に、回転翼部５で受けた流下水が鎖樋素体１の上開口６を越えて外に飛散するのが抑制されることになる。
【００３３】
ここで、鎖樋素体１の上開口６より一定下方に引き込んだ位置に位置する回転翼部５に衝突することで鎖樋素体１の上開口６より一定下方に引き込んだ位置で飛散した水しぶきの一部が筒体４の内壁の上部又は回転翼部５の上部に当って、内壁に沿って上にさかのぼったりすることがあるが、図４に示すように、筒体４の上開口６の縁部の内縁及び外縁を面取りして面取り部２０を形成しておくと、壁部をさかのぼった雨水が上開口６の縁部の内縁及び外縁の面取り部分に沿って流れて筒体４の外面に沿って下方に流下することになり、外に飛散して飛び出すのが防止できる。
【００３４】
図５には本発明の更に他の実施形態が示してあり、本実施形態においては、筒体４の上開口６の縁部に内側に向けて内鍔部７を突設してある。本実施形態においては、上開口６の大きさは内鍔部７により囲まれた部分であるが、本実施形態においても上開口６は下開口８よりも大きく、したがって、上の鎖樋素体１の下開口８から流下した雨水は下の鎖樋素体１の上開口６からスムーズ流入するようになっている。
【００３５】
この実施形態においては、筒体４の上開口６の縁部に内側に向けて内鍔部７を突設してあるので、上の筒体４の下開口８から流下した雨水が、下の鎖樋素体１の筒体４の上開口６から筒体４内に流入して筒体４の内壁の上部又は回転翼部５の上部に当って、内壁に沿って上にさかのぼっても、筒体４の上開口６の縁部に内側に向けて突設した内鍔部７により雨水が外に飛散するのを防止することができる。
【００３６】
図１、図２に示す前述の実施形態においては、上下方向に配置した複数の鎖樋素体１の回転翼部５における螺旋の巻き方向を同じ方向とした例を示しており、この例の場合は、雨水の流下力により複数の鎖樋素体１を同一方向に回転させながら排水する鎖樋２であるが、複数の鎖樋素体１のうち回転翼部５における螺旋の巻き方向が一方向となったものと、逆方向となったものを混在させることで、雨水の流下力により一方向に回転する鎖樋素体１と、反対方向に回転する鎖樋素体１とが混在した鎖樋２を構成するようにしてもよく、この実施形態においては、よりいっそう従来の鎖樋２では現出できなかった雨水の動き、鎖樋素体１の動きを現出できることになる。
【００３７】
また、上記いずれの実施形態の場合も、回転翼部５の傾斜角度が異なる鎖樋素体１を複数用いて鎖樋２を構成してもよく、この場合は、回転速度の速い鎖樋素体１と遅い鎖樋素体１とが混在することになり、よりいっそう従来の鎖樋２では現出できなかった、雨水の動き、鎖樋素体１の動きを現出できることになる。
【００３８】
また、上記実施形態では、鎖樋素体１に軸体３が回転自在に取付けてあり、軸体３に繋ぎ部１０を設け、上下の鎖樋素体１を繋ぎ部１０で繋ぐことで、上下方向に複数の鎖樋素体１を配設した鎖樋２を構成した例が示してあるが、ワイヤーや棒材のように上下方向に長い線状材（図示せず）により軸体３を構成し、この線状材に鎖樋素体１を上下方向に複数回転自在に取付けて鎖樋２を形成してもよい。
【図面の簡単な説明】
【００３９】
【図１】本発明の一実施形態の鎖樋の断面図である。
【図２】同上の正面図である。
【図３】同上に用いる鎖樋素体を示し、（ａ）は斜視図であり、（ｂ）は分解斜視図である。
【図４】本発明の他の実施形態の鎖樋素体の要部拡大断面図である。
【図５】本発明の他の実施形態の鎖樋素体の要部拡大断面図である。
【符号の説明】
【００４０】
１  鎖樋素体
２  鎖樋
３  軸体
４  筒体
５  回転翼部
６  上開口
７  内鍔部
８  下開口
【図１】
2009263992.tif 000003
【図２】
2009263992.tif 000004
【図３】
2009263992.tif 000005
【図４】
2009263992.tif 000006
【図５】
2009263992.tif 000007